(57)【要約】【課題】  ＥＰＧを表示した状態で指定した番組とほぼ同時に放送される他の番組の詳細情報が把握可能として視認性を向上させる。【解決手段】  開示される映像表示装置は、各番組の番組情報ＰＩを含む各番組に関する付加情報ＳＩが付加された放送信号を受信してＥＰＧが表示可能なものである。この映像表示装置では、付加情報ＳＩから番組情報ＰＩを抽出する番組情報抽出部７と、抽出された番組情報ＰＩに基づきＥＰＧを生成するＥＰＧ生成部８と、表示部６に表示されたＥＰＧを構成する番組欄のうちのいずれかを指定するためのリモコン１３及び本体操作部１１とを備える。そして、リモコン１３又は本体操作部１１の操作によりフォーカスされた番組欄に対応した第１の番組の詳細情報と、この第１の番組が放送される時に放送される第２の番組の詳細情報とを、第１の番組に対応した番組欄に関連づけて表示している。【選択図】  図１
2008258943.tif 000002
【特許請求の範囲】
【請求項１】
各番組の番組情報を含む前記各番組に関する付加情報が付加された放送信号又はこれに類する情報を受信して電子番組表が表示可能な映像表示装置において、
前記付加情報から前記番組情報を抽出する番組情報抽出部と、
抽出された前記番組情報に基づいて前記電子番組表を生成する電子番組表生成部と、
表示部に表示された前記電子番組表を構成する番組欄のうち、操作部の操作により指定された前記番組欄に対応した第１の番組の詳細情報と、前記第１の番組が放送される時に放送される第２の番組の詳細情報とを、前記第１の番組に対応した前記番組欄に関連づけて表示する
ことを特徴とする映像表示装置。
【請求項２】
前記操作部の操作により指定された前記番組欄に対応した第１の番組の詳細情報と、前記第１の番組の放送開始時刻に放送が開始される第２の番組の詳細情報とを、前記第１の番組に対応した前記番組欄に関連づけて表示する
ことを特徴とする請求項１に記載の映像表示装置。
【請求項３】
前記操作部の操作により指定された前記番組欄に対応した第１の番組の詳細情報と、前記第１の番組の放送開始時刻に放送されている第２の番組の詳細情報とを、前記第１の番組に対応した前記番組欄に関連づけて表示する
ことを特徴とする請求項１に記載の映像表示装置。
【請求項４】
前記操作部の操作により指定された前記番組欄に対応した第１の番組の詳細情報と、前記第１の番組が放送されている時間帯と少なくとも一部が重なる時間帯に放送される第２の番組の詳細情報とを、前記第１の番組に対応した前記番組欄に関連づけて表示する
ことを特徴とする請求項１乃至３のいずれかに記載の映像表示装置。
【請求項５】
各番組の番組情報を含む前記各番組に関する付加情報が付加された放送信号又はこれに類する情報を受信して電子番組表が表示可能な映像表示装置において、
操作部の操作により指定された日時の前記電子番組表を表示部に表示するとともに、前記日時に放送が開始される番組の詳細情報を前記番組に対応した前記番組欄に関連づけて表示する
ことを特徴とする映像表示装置。
【請求項６】
各番組の番組情報を含む前記各番組に関する付加情報が付加された放送信号又はこれに類する情報を受信して電子番組表が表示可能な映像表示装置において、
操作部の操作により指定された日時の前記電子番組表を表示部に表示するとともに、前記日時に放送されている番組の詳細情報を前記番組に対応した前記番組欄に関連づけて表示する
ことを特徴とする映像表示装置。
【請求項７】
各番組の番組情報を含む前記各番組に関する付加情報が付加された放送信号又はこれに類する情報を受信して電子番組表が表示可能な映像表示装置において、
操作部の操作により指定された日時及び時間帯の前記電子番組表を表示部に表示するとともに、前記日時の前記時間帯と少なくとも一部が重なる時間帯に放送される番組の詳細情報を前記番組に対応した前記番組欄に関連づけて表示する
ことを特徴とする映像表示装置。
【請求項８】
各番組の番組情報を含む前記各番組に関する付加情報が付加された放送信号又はこれに類する情報を受信し、受信した前記番組を表示装置に表示する機能と、受信した前記番組を前記付加情報とともに記録媒体に記録する機能と、前記付加情報とともに前記番組が記録された記録媒体から前記番組を再生して前記表示装置に表示する機能とを有する、電子番組表を前記表示装置に表示可能な映像記録再生装置において、
前記付加情報から前記番組情報を抽出する番組情報抽出部と、
抽出された前記番組情報に基づいて前記電子番組表を生成する電子番組表生成部と、
前記表示装置に表示された前記電子番組表を構成する番組欄のうち、操作部の操作により指定された前記番組欄に対応した第１の番組の詳細情報と、前記第１の番組が放送される時に放送される第２の番組の詳細情報とを、前記第１の番組に対応した前記番組欄に関連づけて前記表示装置に表示する
ことを特徴とする映像記録再生装置。
【請求項９】
前記操作部の操作により指定された前記番組欄に対応した第１の番組の詳細情報と、前記第１の番組の放送開始時刻に放送が開始される第２の番組の詳細情報とを、前記第１の番組に対応した前記番組欄に関連づけて前記表示装置に表示する
ことを特徴とする請求項８に記載の映像記録再生装置。
【請求項１０】
前記操作部の操作により指定された前記番組欄に対応した第１の番組の詳細情報と、前記第１の番組の放送開始時刻に放送されている第２の番組の詳細情報とを、前記第１の番組に対応した前記番組欄に関連づけて前記表示装置に表示する
ことを特徴とする請求項８に記載の映像記録再生示装置。
【請求項１１】
前記操作部の操作により指定された前記番組欄に対応した第１の番組の詳細情報と、前記第１の番組が放送されている時間帯と少なくとも一部が重なる時間帯に放送される第２の番組の詳細情報とを、前記第１の番組に対応した前記番組欄に関連づけて前記表示装置に表示する
ことを特徴とする請求項８乃至１０のいずれかに記載の映像記録再生装置。
【請求項１２】
各番組の番組情報を含む前記各番組に関する付加情報が付加された放送信号又はこれに類する情報を受信し、受信した前記番組を表示装置に表示する機能と、受信した前記番組を前記付加情報とともに記録媒体に記録する機能と、前記付加情報とともに前記番組が記録された記録媒体から前記番組を再生して前記表示装置に表示する機能とを有する、電子番組表を前記表示装置に表示可能な映像記録再生装置において、
操作部の操作により指定された日時の前記電子番組表を前記表示装置に表示するとともに、前記日時に放送が開始される番組の詳細情報を前記番組に対応した番組欄に関連づけて前記表示装置に表示する
ことを特徴とする映像記録再生装置。
【請求項１３】
各番組の番組情報を含む前記各番組に関する付加情報が付加された放送信号又はこれに類する情報を受信し、受信した前記番組を表示装置に表示する機能と、受信した前記番組を前記付加情報とともに記録媒体に記録する機能と、前記付加情報とともに前記番組が記録された記録媒体から前記番組を再生して前記表示装置に表示する機能とを有する、電子番組表を前記表示装置に表示可能な映像記録再生装置において、
操作部の操作により指定された日時の前記電子番組表を前記表示装置に表示するとともに、前記日時に放送されている番組の詳細情報を前記番組に対応した番組欄に関連づけて前記表示装置に表示する
ことを特徴とする映像記録再生装置。
【請求項１４】
各番組の番組情報を含む前記各番組に関する付加情報が付加された放送信号又はこれに類する情報を受信し、受信した前記番組を表示装置に表示する機能と、受信した前記番組を前記付加情報とともに記録媒体に記録する機能と、前記付加情報とともに前記番組が記録された記録媒体から前記番組を再生して前記表示装置に表示する機能とを有する、電子番組表を前記表示装置に表示可能な映像記録再生装置において、
操作部の操作により指定された日時及び時間帯の前記電子番組表を前記表示装置に表示するとともに、前記日時の前記時間帯と少なくとも一部が重なる時間帯に放送される番組の詳細情報を前記番組に対応した番組欄に関連づけて前記表示装置に表示する
ことを特徴とする映像記録再生装置。
【請求項１５】
各番組の番組情報を含む前記各番組に関する付加情報が付加された放送信号又はこれに類する情報を受信し、又は前記付加情報とともに前記番組が記録された記録媒体から前記番組を再生して電子番組表を表示する電子番組表表示方法において、
前記付加情報から前記番組情報を抽出する番組情報抽出ステップと、
抽出された前記番組情報に基づいて前記電子番組表を生成する電子番組表生成ステップと、
表示された前記電子番組表を構成する番組欄のうち、操作部の操作により指定された前記番組欄に対応した第１の番組の詳細情報と、前記第１の番組が放送される時に放送される第２の番組の詳細情報とを、前記第１の番組に対応した前記番組欄に関連づけて表示する詳細情報表示ステップと
を有することを特徴とする電子番組表表示方法。
【請求項１６】
前記詳細情報表示ステップでは、
表示された前記電子番組表を構成する番組欄のうち、操作部の操作により指定された前記番組欄に対応した第１の番組の詳細情報と、前記第１の番組の放送開始時刻に放送が開始される第２の番組の詳細情報とを、前記第１の番組に対応した前記番組欄に関連づけて表示する
ことを特徴とする請求項１５に記載の電子番組表表示方法。
【請求項１７】
前記詳細情報表示ステップでは、
表示された前記電子番組表を構成する番組欄のうち、操作部の操作により指定された前記番組欄に対応した第１の番組の詳細情報と、前記第１の番組の放送開始時刻に放送されている第２の番組の詳細情報とを、前記第１の番組に対応した前記番組欄に関連づけて表示する詳細情報表示ステップと
を有することを特徴とする請求項１５に記載の電子番組表表示方法。
【請求項１８】
前記詳細情報表示ステップでは、
表示された前記電子番組表を構成する番組欄のうち、操作部の操作により指定された前記番組欄に対応した第１の番組の詳細情報と、前記第１の番組が放送されている時間帯と少なくとも一部が重なる時間帯に放送される第２の番組の詳細情報とを、前記第１の番組に対応した前記番組欄に関連づけて表示する詳細情報表示ステップと
を有することを特徴とする請求項１５乃至１７のいずれかに記載の電子番組表表示方法。
【請求項１９】
各番組の番組情報を含む前記各番組に関する付加情報が付加された放送信号又はこれに類する情報を受信し、又は前記付加情報とともに前記番組が記録された記録媒体から前記番組を再生して電子番組表を表示する電子番組表表示方法において、
前記付加情報から前記番組情報を抽出する番組情報抽出ステップと、
操作部の操作により指定された日時の前記電子番組表を表示するとともに、前記日時に放送が開始される番組の詳細情報を前記番組に対応した番組欄に関連づけて表示する電子番組表及び詳細情報表示ステップと
を有することを特徴とする電子番組表表示方法。
【請求項２０】
各番組の番組情報を含む前記各番組に関する付加情報が付加された放送信号又はこれに類する情報を受信し、又は前記付加情報とともに前記番組が記録された記録媒体から前記番組を再生して電子番組表を表示する電子番組表表示方法において、
前記付加情報から前記番組情報を抽出する番組情報抽出ステップと、
操作部の操作により指定された日時の前記電子番組表を表示するとともに、前記日時に放送されている番組の詳細情報を前記番組に対応した番組欄に関連づけて表示する電子番組表及び詳細情報表示ステップと
を有することを特徴とする電子番組表表示方法。
【請求項２１】
各番組の番組情報を含む前記各番組に関する付加情報が付加された放送信号又はこれに類する情報を受信し、又は前記付加情報とともに前記番組が記録された記録媒体から前記番組を再生して電子番組表を表示する電子番組表表示方法において、
前記付加情報から前記番組情報を抽出する番組情報抽出ステップと、
操作部の操作により指定された日時及び時間帯の前記電子番組表を表示するとともに、前記日時の前記時間帯と少なくとも一部が重なる時間帯に放送される番組の詳細情報を前記番組に対応した番組欄に関連づけて表示する電子番組表及び詳細情報表示ステップと
を有することを特徴とする電子番組表表示方法。
【請求項２２】
コンピュータに請求項１５乃至２１のいずれかに記載の機能を実現させるための電子番組表表示プログラム。
【発明の詳細な説明】
【技術分野】
【０００１】
本発明は、各番組の番組情報を含む各番組に関する付加情報が付加された放送信号又はこれに類する情報を受信して電子番組表（ＥＰＧ：Electronic Program Guide）が表示可能なテレビジョン受信機等の映像表示装置、受信した上記番組を表示装置に表示する機能と、受信した上記番組を上記付加情報とともに記録媒体に記録する機能と、上記付加情報とともに上記番組が記録された記録媒体から上記番組を再生して上記表示装置に表示する機能とを有する、上記電子番組表を上記表示装置に表示可能なＤＶＤレコーダ等の映像記録再生装置、電子番組表を表示する電子番組表表示方法及び電子番組表表示プログラムに関する。
【背景技術】
【０００２】
従来、ＥＰＧ等の番組に関する付加情報が付加された放送信号を受信してＥＰＧが表示可能なテレビジョン受信機等の映像表示装置には、例えば、以下に示すものがあった。即ち、この種の映像表示装置は、付加情報取得手段と、第一表示制御手段と、指定手段と、第二表示制御手段とを有している。
【０００３】
付加情報取得手段は、受信した上記放送信号から付加情報を取得する。第一表示制御手段は、取得された付加情報の中から各番組を代表する番組欄を表示制御する。指定手段は、表示された各番組の番組欄のうちいずれかをユーザがカーソルで指定するために用いられる。第二表示制御手段は、上記カーソルで指定された番組に対し番組名の文字サイズを大きく表示制御するとともに、カーソルで指定された番組の詳細情報を番組枠に表示する（例えば、特許文献１参照。）。
【０００４】
【特許文献１】特開２００６−１５７３９５号公報（請求項１，請求項３，［０００９］〜［００３２］、図３）
【発明の開示】
【発明が解決しようとする課題】
【０００５】
上記したように、従来の映像表示装置では、ＥＰＧが表示された状態において、ユーザによってカーソルで指定された番組だけの詳細情報が番組枠に表示されるに過ぎない。このため、ユーザは、当該番組とほぼ同時に放送される他の番組の詳細情報を把握することができず、視認性が良好でないという課題があった。
以上説明した不都合は、受信した上記番組をモニタ又はテレビジョン受信機等の表示装置に表示する機能と、受信した上記番組を上記付加情報とともに記録媒体に記録する機能と、上記付加情報とともに上記番組が記録された記録媒体から上記番組を再生して上記表示装置に表示する機能とを有する、上記ＥＰＧを上記表示装置に表示可能なＤＶＤレコーダ等の映像記録再生装置にも同様に当てはまる。
【０００６】
本発明は、上述した事情に鑑みてなされたものであり、上述のような課題を解決することができる映像表示装置、映像記録再生装置、電子番組表表示方法及び電子番組表表示プログラムを提供することを目的とする。
【課題を解決するための手段】
【０００７】
上記課題を解決するために、請求項１に記載の発明に係る映像表示装置は、各番組の番組情報を含む前記各番組に関する付加情報が付加された放送信号又はこれに類する情報を受信して電子番組表が表示可能な映像表示装置に係り、前記付加情報から前記番組情報を抽出する番組情報抽出部と、抽出された前記番組情報に基づいて前記電子番組表を生成する電子番組表生成部と、表示部に表示された前記電子番組表を構成する番組欄のうち、操作部の操作により指定された前記番組欄に対応した第１の番組の詳細情報と、前記第１の番組が放送される時に放送される第２の番組の詳細情報とを、前記第１の番組に対応した前記番組欄に関連づけて表示することを特徴としている。
【０００８】
ここで、「第１の番組が放送される時」における「時」とは、「時間」と「時刻」との総称であり、従って、「第１の番組が放送される時に放送される第２の番組」とは、「第１の番組」が開始される「時刻」と同時に開始される第２の番組はもちろん、「第１の番組」の放送開始時刻から放送終了時刻までの「時間」にその一部でも放送される第２の番組も含んでいる。この「時」の意味は他の請求項においても同様である。
【０００９】
また、請求項２に記載の発明は、請求項１に記載の映像表示装置に係り、前記操作部の操作により指定された前記番組欄に対応した第１の番組の詳細情報と、前記第１の番組の放送開始時刻に放送が開始される第２の番組の詳細情報とを、前記第１の番組に対応した前記番組欄に関連づけて表示することを特徴としている。
【００１０】
また、請求項３に記載の発明は、請求項１に記載の映像表示装置に係り、前記操作部の操作により指定された前記番組欄に対応した第１の番組の詳細情報と、前記第１の番組の放送開始時刻に放送されている第２の番組の詳細情報とを、前記第１の番組に対応した前記番組欄に関連づけて表示することを特徴としている。
【００１１】
また、請求項４に記載の発明は、請求項１乃至３のいずれかに記載の映像表示装置に係り、前記操作部の操作により指定された前記番組欄に対応した第１の番組の詳細情報と、前記第１の番組が放送されている時間帯と少なくとも一部が重なる時間帯に放送される第２の番組の詳細情報とを、前記第１の番組に対応した前記番組欄に関連づけて表示することを特徴としている。
【００１２】
また、請求項５に記載の発明に係る映像表示装置は、各番組の番組情報を含む前記各番組に関する付加情報が付加された放送信号又はこれに類する情報を受信して電子番組表が表示可能な映像表示装置に係り、操作部の操作により指定された日時の前記電子番組表を表示部に表示するとともに、前記日時に放送が開始される番組の詳細情報を前記番組に対応した前記番組欄に関連づけて表示することを特徴としている。
【００１３】
また、請求項６に記載の発明に係る映像表示装置は、各番組の番組情報を含む前記各番組に関する付加情報が付加された放送信号又はこれに類する情報を受信して電子番組表が表示可能な映像表示装置に係り、操作部の操作により指定された日時の前記電子番組表を表示部に表示するとともに、前記日時に放送されている番組の詳細情報を前記番組に対応した前記番組欄に関連づけて表示することを特徴としている。
【００１４】
また、請求項７に記載の発明に係る映像表示装置は、各番組の番組情報を含む前記各番組に関する付加情報が付加された放送信号又はこれに類する情報を受信して電子番組表が表示可能な映像表示装置に係り、操作部の操作により指定された日時及び時間帯の前記電子番組表を前記表示部に表示するとともに、前記日時の前記時間帯と少なくとも一部が重なる時間帯に放送される番組の詳細情報を前記番組に対応した番組欄に関連づけて表示することを特徴としている。
【００１５】
また、請求項８に記載の発明に係る映像記録再生装置は、各番組の番組情報を含む前記各番組に関する付加情報が付加された放送信号又はこれに類する情報を受信し、受信した前記番組を表示装置に表示する機能と、受信した前記番組を前記付加情報とともに記録媒体に記録する機能と、前記付加情報とともに前記番組が記録された記録媒体から前記番組を再生して前記表示装置に表示する機能とを有する、電子番組表を前記表示装置に表示可能な映像記録再生装置に係り、前記付加情報から前記番組情報を抽出する番組情報抽出部と、抽出された前記番組情報に基づいて前記電子番組表を生成する電子番組表生成部と、前記表示装置に表示された前記電子番組表を構成する番組欄のうち、操作部の操作により指定された前記番組欄に対応した第１の番組の詳細情報と、前記第１の番組が放送される時に放送される第２の番組の詳細情報とを、前記第１の番組に対応した前記番組欄に関連づけて前記表示装置に表示することを特徴としている。
【００１６】
また、請求項９に記載の発明は、請求項８に記載の映像記録再生装置に係り、前記操作部の操作により指定された前記番組欄に対応した第１の番組の詳細情報と、前記第１の番組の放送開始時刻に放送が開始される第２の番組の詳細情報とを、前記第１の番組に対応した前記番組欄に関連づけて前記表示装置に表示することを特徴としている。
【００１７】
また、請求項１０に記載の発明は、請求項８に記載の映像記録再生示装置に係り、前記操作部の操作により指定された前記番組欄に対応した第１の番組の詳細情報と、前記第１の番組の放送開始時刻に放送されている第２の番組の詳細情報とを、前記第１の番組に対応した前記番組欄に関連づけて前記表示装置に表示することを特徴としている。
【００１８】
また、請求項１１に記載の発明は、請求項８乃至１０のいずれかに記載の映像記録再生装置に係り、前記操作部の操作により指定された前記番組欄に対応した第１の番組の詳細情報と、前記第１の番組が放送されている時間帯と少なくとも一部が重なる時間帯に放送される第２の番組の詳細情報とを、前記第１の番組に対応した前記番組欄に関連づけて前記表示装置に表示することを特徴としている。
【００１９】
また、請求項１２に記載の発明に係る映像記録再生装置は、各番組の番組情報を含む前記各番組に関する付加情報が付加された放送信号又はこれに類する情報を受信し、受信した前記番組を表示装置に表示する機能と、受信した前記番組を前記付加情報とともに記録媒体に記録する機能と、前記付加情報とともに前記番組が記録された記録媒体から前記番組を再生して前記表示装置に表示する機能とを有する、電子番組表を前記表示装置に表示可能な映像記録再生装置に係り、操作部の操作により指定された日時の前記電子番組表を前記表示装置に表示するとともに、前記日時に放送が開始される番組の詳細情報を前記番組に対応した番組欄に関連づけて前記表示装置に表示することを特徴としている。
【００２０】
また、請求項１３に記載の発明に係る映像記録再生装置は、各番組の番組情報を含む前記各番組に関する付加情報が付加された放送信号又はこれに類する情報を受信し、受信した前記番組を表示装置に表示する機能と、受信した前記番組を前記付加情報とともに記録媒体に記録する機能と、前記付加情報とともに前記番組が記録された記録媒体から前記番組を再生して前記表示装置に表示する機能とを有する、電子番組表を前記表示装置に表示可能な映像記録再生装置に係り、操作部の操作により指定された日時の前記電子番組表を前記表示装置に表示するとともに、前記日時に放送されている番組の詳細情報を前記番組に対応した番組欄に関連づけて前記表示装置に表示することを特徴としている。
【００２１】
また、請求項１４に記載の発明に係る映像記録再生装置は、各番組の番組情報を含む前記各番組に関する付加情報が付加された放送信号又はこれに類する情報を受信し、受信した前記番組を表示装置に表示する機能と、受信した前記番組を前記付加情報とともに記録媒体に記録する機能と、前記付加情報とともに前記番組が記録された記録媒体から前記番組を再生して前記表示装置に表示する機能とを有する、電子番組表を前記表示装置に表示可能な映像記録再生装置に係り、操作部の操作により指定された日時及び時間帯の前記電子番組表を前記表示装置に表示するとともに、前記日時の前記時間帯と少なくとも一部が重なる時間帯に放送される番組の詳細情報を前記番組に対応した番組欄に関連づけて前記表示装置に表示することを特徴としている。
【００２２】
また、請求項１５に記載の発明に係る電子番組表表示方法は、各番組の番組情報を含む前記各番組に関する付加情報が付加された放送信号又はこれに類する情報を受信し、又は前記付加情報とともに前記番組が記録された記録媒体から前記番組を再生して電子番組表を表示する電子番組表表示方法に係り、前記付加情報から前記番組情報を抽出する番組情報抽出ステップと、抽出された前記番組情報に基づいて前記電子番組表を生成する電子番組表生成ステップと、表示された前記電子番組表を構成する番組欄のうち、操作部の操作により指定された前記番組欄に対応した第１の番組の詳細情報と、前記第１の番組が放送される時に放送される第２の番組の詳細情報とを、前記第１の番組に対応した前記番組欄に関連づけて表示する詳細情報表示ステップとを有することを特徴としている。
【００２３】
また、請求項１６に記載の発明は、請求項１５に記載の電子番組表表示方法に係り、前記詳細情報表示ステップでは、表示された前記電子番組表を構成する番組欄のうち、操作部の操作により指定された前記番組欄に対応した第１の番組の詳細情報と、前記第１の番組の放送開始時刻に放送が開始される第２の番組の詳細情報とを、前記第１の番組に対応した前記番組欄に関連づけて表示することを特徴としている。
【００２４】
また、請求項１７に記載の発明は、請求項１５に記載の電子番組表表示方法に係り、前記詳細情報表示ステップでは、表示された前記電子番組表を構成する番組欄のうち、操作部の操作により指定された前記番組欄に対応した第１の番組の詳細情報と、前記第１の番組の放送開始時刻に放送されている第２の番組の詳細情報とを、前記第１の番組に対応した前記番組欄に関連づけて表示する詳細情報表示ステップとを有することを特徴としている。
【００２５】
また、請求項１８に記載の発明は、請求項１５乃至１７のいずれかに記載の電子番組表表示方法に係り、前記詳細情報表示ステップでは、表示された前記電子番組表を構成する番組欄のうち、操作部の操作により指定された前記番組欄に対応した第１の番組の詳細情報と、前記第１の番組が放送されている時間帯と少なくとも一部が重なる時間帯に放送される第２の番組の詳細情報とを、前記第１の番組に対応した前記番組欄に関連づけて表示する詳細情報表示ステップとを有することを特徴としている。
【００２６】
また、請求項１９に記載の発明に係る電子番組表表示方法は、各番組の番組情報を含む前記各番組に関する付加情報が付加された放送信号又はこれに類する情報を受信し、又は前記付加情報とともに前記番組が記録された記録媒体から前記番組を再生して電子番組表を表示する電子番組表表示方法に係り、前記付加情報から前記番組情報を抽出する番組情報抽出ステップと、操作部の操作により指定された日時の前記電子番組表を表示するとともに、前記日時に放送が開始される番組の詳細情報を前記番組に対応した番組欄に関連づけて表示する電子番組表及び詳細情報表示ステップとを有することを特徴としている。
【００２７】
また、請求項２０に記載の発明に係る電子番組表表示方法は、各番組の番組情報を含む前記各番組に関する付加情報が付加された放送信号又はこれに類する情報を受信し、又は前記付加情報とともに前記番組が記録された記録媒体から前記番組を再生して電子番組表を表示する電子番組表表示方法に係り、前記付加情報から前記番組情報を抽出する番組情報抽出ステップと、操作部の操作により指定された日時の前記電子番組表を表示するとともに、前記日時に放送されている番組の詳細情報を前記番組に対応した番組欄に関連づけて表示する電子番組表及び詳細情報表示ステップとを有することを特徴としている。
【００２８】
また、請求項２１に記載の発明に係る電子番組表表示方法は、各番組の番組情報を含む前記各番組に関する付加情報が付加された放送信号又はこれに類する情報を受信し、又は前記付加情報とともに前記番組が記録された記録媒体から前記番組を再生して電子番組表を表示する電子番組表表示方法に係り、前記付加情報から前記番組情報を抽出する番組情報抽出ステップと、操作部の操作により指定された日時及び時間帯の前記電子番組表を表示するとともに、前記日時の前記時間帯と少なくとも一部が重なる時間帯に放送される番組の詳細情報を前記番組に対応した番組欄に関連づけて表示する電子番組表及び詳細情報表示ステップとを有することを特徴としている。
【００２９】
また、請求項２２に記載の発明に係る電子番組表表示プログラムは、コンピュータに請求項１５乃至２１のいずれかに記載の機能を実現させることを特徴としている。
【発明の効果】
【００３０】
本発明によれば、ユーザは、ＥＰＧが表示された状態において、指定した当該番組とほぼ同時に放送される他の番組の詳細情報を把握することができ、視認性が向上する。
【発明を実施するための最良の形態】
【００３１】
実施の形態１．
図１は、本発明の実施の形態１に係る映像表示装置の一部の構成を示すブロック図である。本実施の形態１に係る映像表示装置は、アンテナ１に接続され、チューナ２と、デマルチプレクサ（ＤＥＭＵＸ）３と、ＭＰＥＧデコーダ４と、映像合成部５と、表示部６と、番組情報抽出部７と、ＥＰＧ生成部８と、制御部９と、リモコン受信部１０と、本体操作部１１と、記憶部１２とを有している。
【００３２】
本実施の形態１に係る映像表示装置は、デジタル放送の各チャンネルを受信するものである。ここで、デジタル放送としては、例えば、地上波デジタル放送、ＢＳ（放送衛星）デジタル放送、ＣＳ（通信衛星）デジタル放送がある。この場合、上記アンテナ１は、原則として、地上波デジタル放送、ＢＳデジタル放送、ＣＳデジタル放送ごとに設けられるが、ＢＳデジタル放送及びＣＳデジタル放送については１つで共用できる場合もある。
【００３３】
チューナ２は、アンテナ１で受信された各種の放送信号の中から、ユーザがリモコン１３又は本体操作部１１を操作することにより選局したチャンネルの放送信号について、制御部９から供給される制御信号に基づいて、多重化されたトランスポートストリーム信号ＴＳへのデジタル復調や誤り訂正、暗号化されたデータの復号化（適宜）等を行う。チューナ２は、トランスポートストリーム信号ＴＳをデマルチプレクサ３に供給する。
【００３４】
デマルチプレクサ３は、制御部９から供給される制御信号に基づいて、チューナ２から供給されるトランスポートストリーム信号ＴＳについて、圧縮符号化されたＭＰＥＧデータＭＤ及び付加情報ＳＩ（Service Information）等の分離、抽出等を行う。デマルチプレクサ３は、制御部９から供給される制御信号に基づいて、ＭＰＥＧデータＭＤをＭＰＥＧデコーダ４に供給するとともに、番組ごとの付加情報ＳＩを番組情報抽出部７及び制御部９にそれぞれ供給する。
【００３５】
ここで、付加情報ＳＩには、例えば、チャンネル名、番組名、放送開始日時、放送終了日時、放送時間、番組内容、番組のジャンル、番組のサブジャンル、番組内イベント（例えば、視聴者プレゼント）、視聴者年齢制限情報、検索キーワード情報、番組登場人物の名前などの番組情報が含まれている。これらの番組情報は、各放送局が任意で付加するものであり、必須項目が規定されている訳ではない。上記した付加情報ＳＩには、現在放送されているすべてのチャンネルのすべての番組に関する番組情報及び、これから放送される予定（現在以後に放送開始予定）のすべてのチャンネルのすべての番組に関する番組情報が含まれている。
【００３６】
ＭＰＥＧデコーダ４は、制御部９から供給される制御信号に基づいて、デマルチプレクサ３から供給されるＭＰＥＧデータＭＤを映像データＶＤへデコードすること等を行う。映像合成部５は、ＥＰＧ生成部８からＥＰＧテーブルＥＰＧＴが供給されない場合には、制御部９から供給される制御信号に基づいて、ＭＰＥＧデコーダ４から供給される映像データＶＤをそのまま合成映像データＭＶとして表示部６に供給する。一方、ＥＰＧ生成部８からＥＰＧテーブルＥＰＧＴが供給された場合には、映像合成部５は、制御部９から供給される制御信号に基づいて、上記映像データＶＤと、上記ＥＰＧテーブルＥＰＧＴとを合成処理して、合成映像データＭＶを生成し、表示部６に供給する。
【００３７】
表示部６は、例えば、ＣＲＴディスプレイ、液晶ディスプレイ（ＬＣＤ；Liquid Crystal Display）、エレクトロルミネセンス（ＥＬ：electroluminescence）ディスプレイ、あるいはプラズマディスプレイパネル（ＰＤＰ；Plasma Display Panel）等のディスプレイを有している。表示部６は、映像合成部５から供給される合成映像データＭＶに基づいて、ディスプレイに映像を表示する。なお、表示部６は、映像表示装置と一体に構成されていても、別個に構成されていてもいずれでも良い。
【００３８】
番組情報抽出部７は、デマルチプレクサ３から順次供給される付加情報ＳＩから番組情報ＰＩを抽出して、内部に設けられている番組情報記憶部に一時記憶する。番組情報抽出部７は、抽出した番組情報ＰＩを番組情報記憶部に記憶する際には、各番組情報ＰＩをチャンネル名、番組名あるいは放送開始日時等をキーワードとして検索できるように、番組情報ＰＩごとにインデックスを付与する。また、番組情報抽出部７は、制御部９から供給される制御信号に基づいて、番組情報記憶部に一時記憶した番組情報ＰＩを読み出して、対応するインデックスとともに、ＥＰＧ生成部８に供給する。
【００３９】
さらに、番組情報抽出部７は、制御部９からある番組の放送開始日時を供給することを指示する制御信号が供給された場合には、番組情報記憶部から指定された番組の番組情報ＰＩを構成する放送開始日時を読み出して制御部９に供給する。また、番組情報抽出部７は、制御部９からある番組の放送開始日時の前後に放送が開始される他の番組を検索して供給することを指示する制御信号が供給された場合には、指定された放送開始日時をキーワードとして、当該放送開始日時の前後に放送が開始される他の番組について番組情報記憶部を検索し、その検索結果を制御部９に供給する。
【００４０】
さらに、番組情報抽出部７は、制御部９からＥＰＧ画面においてフォーカスされた番組及び番組情報抽出部７から供給された他の番組のそれぞれの詳細情報を表示することを指示する制御信号が供給された場合には、番組情報記憶部から指定されたすべての番組のそれぞれの詳細情報を読み出してＥＰＧ生成部８に供給する。ここで、詳細情報には、例えば、放送開始日時、放送終了日時、放送時間、番組内容、番組のジャンル、番組のサブジャンル、番組内イベント（例えば、視聴者プレゼント）、視聴者年齢制限情報、番組登場人物の名前などが含まれている。
【００４１】
ＥＰＧ生成部８は、制御部９から供給される制御信号に基づいて、番組情報抽出部７から供給される番組情報ＰＩ及びインデックスをチャンネルごとに処理してＥＰＧを構築及び更新して内部に設けられているＥＰＧ記憶領域に記憶する。また、ＥＰＧ生成部８は、ユーザがリモコン１３又は本体操作部１１を操作して表示部６を構成するディスプレイへのＥＰＧ画面の表示を指示することにより、制御部９から上記ＥＰＧ画面の表示を指示する制御信号が供給された場合には、上記ＥＰＧ記憶領域に記憶されたＥＰＧに基づいて、上記ディスプレイにＥＰＧをＯＳＤ（On Screen Display）表示形式で表示するために必要なＥＰＧテーブルＥＰＧＴを生成して映像合成部５に供給する。
【００４２】
さらに、ＥＰＧ生成部８は、制御部９からＥＰＧ画面においてフォーカスされた番組及び番組情報抽出部７から供給された他の番組のそれぞれの詳細情報を表示することを指示する制御信号が供給されるとともに、番組情報抽出部７から上記複数の番組のすべての詳細情報が供給された場合には、上記ＥＰＧに当該詳細情報を重ねたものをＯＳＤ表示形式で表示するために必要なＥＰＧテーブルＥＰＧＴを生成して映像合成部５に供給する。
【００４３】
制御部９は、中央処理装置（ＣＰＵ）、デジタルシグナルプロセッサ（ＤＳＰ）、シーケンサ等を有し、記憶部１２に記憶されているＥＰＧ表示プログラムその他のプログラム等に基づいて、ＥＰＧ表示処理その他の処理を実行することにより、この映像表示装置の各部を制御する。
即ち、例えば、記憶部１２からＥＰＧ表示プログラムが読み出されると、制御部９に読み込まれ、制御部９の動作を制御する。制御部９は、ＥＰＧ表示プログラムが起動されると、ＥＰＧ表示プログラムの制御により、後述するＥＰＧ表示処理を実行するのである。ＥＰＧ表示処理は、ユーザがリモコン１３又は本体操作部１１を操作して表示部６を構成するディスプレイへのＥＰＧの表示を指示した場合に表示部６を構成するディスプレイにＥＰＧを表示させるとともに、上記ディスプレイにＥＰＧが表示されている状態において、ユーザがリモコン１３又は本体操作部１１を操作してあるチャンネルのある番組にフォーカスを移動させた場合に当該番組の詳細情報と、当該番組と同時刻に放送されている他のチャンネルの他の番組の詳細情報を上記ＥＰＧに重ねて表示させる処理である。
【００４４】
リモコン受信部１０は、リモコン１３からの赤外線パルスの制御信号ＬＲを受信し、電気信号の制御信号ＲＣに変換して制御部９に供給する。リモコン１３には、一般的なテレビジョン受信機に用いられるリモコンと同様、電源ボタン、チャンネルボタン、チャンネル増加ボタン、チャンネル減少ボタン、入力切換ボタン、音量増加ボタン、音量減少ボタンなどの各種のボタンが設けられている。
【００４５】
また、上記リモコン１３には、上記した各種ボタンの他、ＥＰＧ表示ボタン、上カーソルボタン、下カーソルボタン、左カーソルボタン、右カーソルボタン及び決定ボタンが設けられている。以下、上カーソルボタン、下カーソルボタン、左カーソルボタン及び右カーソルボタンを総称して、「カーソルボタン」と呼ぶことにする。
【００４６】
ＥＰＧ表示ボタンは、押下されるたびに、表示部６を構成するディスプレイへのＯＳＤ表示形式でのＥＰＧの表示と、非表示とが交互に指示されるボタンである。上カーソルボタン、下カーソルボタン、左カーソルボタン及び右カーソルボタンは、例えば、上記ＥＰＧ表示処理が実行されている際に、上記ディスプレイにＥＰＧが表示されている状態で押下されることにより、それぞれ上方向、下方向、左方向及び右方向に１つずつカーソルを移動させることによりフォーカスを移動させて番組の選択が指示されるとともに、当該番組の詳細情報と、当該番組と同時刻に放送されている他のチャンネルの他の番組の詳細情報を上記ＥＰＧに重ねて表示することが指示されるボタンである。
【００４７】
ここで、フォーカスについて説明する。表示画面に複数のボタンやテキストボックス等が表示されている場合、これらのうち、リモコン１３又は本体操作部１１からの入力を受け付けることができるのは１つだけであるが、その入力を受け付ける状態になっていることをフォーカスされているという。あるボタンがフォーカスされているか否かは、ＥＰＧの各番組の場合には当該番組名が表示されている領域（番組表示領域）がハイライト表示又は反転表示される、テキストボックスの場合には内部でカーソルが点滅する、ドロップダウンリストボックスの場合にはメニューが選択反転する、コマンドボタンの場合には破線で囲まれる、などにより判断することができる。
【００４８】
決定ボタンは、例えば、上記ディスプレイに表示されているＥＰＧを構成する番組表示領域がフォーカスされている状態で押下されることにより、選択可能な番組を選局して上記ディスプレイに表示させることなどが指示されるボタンである。
【００４９】
本体操作部１１は、例えば、映像表示装置本体の右下部に設けられ、電源ボタン、入力切換ボタン、チャンネル増加ボタン、チャンネル減少ボタン、音量増加ボタン、音量減少ボタン、ＥＰＧ表示ボタン、上カーソルボタン、下カーソルボタン、左カーソルボタン、右カーソルボタン、決定ボタンなど各種のボタンから構成されている。各ボタンの用途及び機能は、上記リモコン１３を構成する同一名称のボタンの用途及び機能とそれぞれ同一である。本体操作部１１は、ユーザにより操作されたボタンに対応した制御信号ＭＣを制御部９に供給する。
【００５０】
記憶部１２は、ＲＡＭやＲＯＭ、あるいはフラッシュメモリ等の半導体メモリからなり、制御部９が実行するＥＰＧ表示プログラムその他のプログラムや、ユーザがリモコン１３又は本体操作部１１を操作することにより入力したデータ等が記憶される。また、記憶部１２は、制御部９がＥＰＧ表示プログラムその他のプログラムを実行する際に作業用として使用される。なお、記憶部１２に記憶される各種プログラムや一部のデータについては、制御部９を構成するＣＰＵ等の内部に設けられたメモリに記憶されるよう構成しても良い。
【００５１】
なお、上記した映像表示装置の各構成要素の中には、映像に関連した処理とともに、音声に関連した処理を行うものがあるが、それらの処理は、本実施の形態１には直接関係しないので、その説明を省略する。また、上記した映像表示装置には、上記した各構成要素の他、音声のみに関連した様々な構成要素が設けられているが、それらの各構成要素は、本実施の形態１には直接関係しないので、その説明を省略する。
【００５２】
次に、上記構成の映像表示装置の動作について、図２〜図４に示すフローチャートを参照して説明する。まず、この映像表示装置に電源が投入されている間は、デジタル放送のユーザが選局したチャンネルの放送信号がアンテナ１を介してチューナ２において受信されており、チューナ２は、対応するトランスポートストリーム信号ＴＳをデマルチプレクサ３に供給している（図２に示すステップＳ１）。
【００５３】
デマルチプレクサ３は、チューナ２から供給されたトランスポートストリーム信号ＴＳから分離、抽出等を行った番組ごとのＭＰＥＧデータＭＤをＭＰＥＧデコーダ４に供給するとともに、番組ごとの付加情報ＳＩを番組情報抽出部７及び制御部９にそれぞれ供給する（図２に示すステップＳ２）。
【００５４】
番組情報抽出部７は、デマルチプレクサ３から順次供給される付加情報ＳＩから番組情報ＰＩを抽出する（図２に示すステップＳ３）。次に、番組情報抽出部７は、抽出した各番組情報ＰＩをチャンネル名、番組名あるいは放送開始日時等をキーワードとして検索できるように、番組情報ＰＩごとにインデックスを付与して、内部に設けられている番組情報記憶部に一時記憶する（図２に示すステップＳ４）。
以上説明したステップＳ１〜Ｓ４の処理は、この映像表示装置に電源が投入されている間、常時、制御部９による主たる処理とは別個独立して繰り返し実行されている。
【００５５】
このような状態において制御部９が実行するＥＰＧ表示処理について、図３及び図４に示すフローチャートを参照して説明する。まず、制御部９は、図３に示すステップＳ１１の処理へ進み、ＥＰＧ表示ボタンが操作されたか否かを判断する。ステップＳ１１の判断結果が「ＮＯ」の場合には、制御部９は、同判断を繰り返す。ステップＳ１１の判断は、制御部９において、例えば、ユーザがリモコン１３を構成するＥＰＧ表示ボタンを押下することにより、リモコン１３から当該ＥＰＧ表示ボタンが押下されたことを示す赤外線パルスの制御信号ＬＲがリモコン受信部１０で受信された後、電気信号に変換された制御信号ＲＣが供給されたか否かを判断することにより行われる。
【００５６】
ユーザが上記した操作方法でＥＰＧ表示ボタンを操作すると、ステップＳ１１の判断結果が「ＹＥＳ」となり、制御部９は、ＥＰＧ表示ボタンが操作されてからの時間を計時するタイマをスタートさせた後、ステップＳ１２へ進む。ステップＳ１２では、制御部９は、ＥＰＧ画面を作成することを指示する制御信号を番組情報抽出部７及びＥＰＧ生成部８にそれぞれ供給した後、ステップＳ１３へ進む。
【００５７】
これにより、番組情報抽出部７は、制御部９から供給された制御信号に基づいて、番組情報記憶部に一時記憶した番組情報ＰＩを読み出して、対応するインデックスとともに、ＥＰＧ生成部８に供給する。従って、ＥＰＧ生成部８は、制御部９から供給された制御信号に基づいて、番組情報抽出部７から供給される番組情報ＰＩ及びインデックスをチャンネルごとに処理してＥＰＧを構築及び更新して内部に設けられているＥＰＧ記憶領域に記憶する。
【００５８】
ステップＳ１３では、制御部９は、ＥＰＧ画面を表示することを指示する制御信号をＥＰＧ生成部８及び映像合成部５にそれぞれ供給した後、ステップＳ１４へ進む。これにより、ＥＰＧ生成部８は、ＥＰＧ記憶領域に記憶されたＥＰＧに基づいて、上記ディスプレイにＥＰＧをＯＳＤ表示形式で表示するために必要なＥＰＧテーブルＥＰＧＴを生成して映像合成部５に供給する。従って、映像合成部５は、制御部９から供給された制御信号に基づいて、ＭＰＥＧデコーダ４から供給された映像データＶＤと、上記ＥＰＧテーブルＥＰＧＴとを合成処理して、合成映像データＭＶを生成し、表示部６に供給する。この結果、表示部６は、映像合成部５から供給された合成映像データＭＶに基づいて、ディスプレイに、ユーザが選択した番組の映像に、例えば、図５に示すＥＰＧ画面を重畳した映像を表示する。
【００５９】
ステップＳ１４では、制御部９は、カーソルボタンが操作されたか否か判断する。ステップＳ１４の判断は、制御部９において、例えば、ユーザがリモコン１３のカーソルボタンを構成する上カーソルボタン、下カーソルボタン、左カーソルボタン、右カーソルボタンのいずれかを押下することにより、リモコン１３から当該カーソルボタンが押下されたことを示す赤外線パルスの制御信号ＬＲがリモコン受信部１０で受信された後、電気信号に変換された制御信号ＲＣが供給されたか否かを判断することにより行われる。ステップＳ１４の判断結果が「ＹＥＳ」の場合には、制御部９は、ステップＳ１５へ進む。
【００６０】
ステップＳ１５では、制御部９は、カーソルボタンが操作されることにより、ＥＰＧ画面においてフォーカスされた番組の放送開始日時を供給することを指示する制御信号を番組情報抽出部７に供給した後、ステップＳ１６へ進む。これにより、番組情報抽出部７は、制御部９から供給された制御信号に基づいて、番組情報記憶部に一時記憶されている当該番組の番組情報ＰＩを構成する放送開始日時を読み出して制御部９に供給する。
【００６１】
ステップＳ１６では、制御部９は、ＥＰＧ画面においてフォーカスされた番組の放送開始日時の前後に放送が開始される他の番組を検索して供給することを指示する制御信号を番組情報抽出部７に供給した後、ステップＳ１７へ進む。これにより、番組情報抽出部７は、制御部９から供給された制御信号に基づいて、指定された放送開始日時をキーワードとして、当該放送開始日時の前後に放送が開始される他の番組について番組情報記憶部を検索し、その検索結果を制御部９に供給する。
【００６２】
ステップＳ１７では、制御部９は、ＥＰＧ画面においてフォーカスされた番組及び番組情報抽出部７から供給された他の番組のそれぞれの詳細情報を表示することを指示する制御信号を番組情報抽出部７、ＥＰＧ生成部８及び映像合成部５に供給した後、ステップＳ１４へ戻る。これにより、番組情報抽出部７は、制御部９から供給された制御信号に基づいて、番組情報記憶部から指定されたすべての番組のそれぞれの詳細情報を読み出してＥＰＧ生成部８に供給する。従って、ＥＰＧ生成部８は、制御部９から供給された制御信号に基づいて、既に作成済みのＥＰＧに番組情報抽出部７から供給された上記複数の番組のすべての詳細情報を重ねたものをＯＳＤ表示形式で表示するために必要なＥＰＧテーブルＥＰＧＴを生成して映像合成部５に供給する。
【００６３】
これにより、映像合成部５は、制御部９から供給された制御信号に基づいて、ＭＰＥＧデコーダ４から供給された映像データＶＤと、上記ＥＰＧテーブルＥＰＧＴとを合成処理して、合成映像データＭＶを生成し、表示部６に供給する。この結果、表示部６は、映像合成部５から供給された合成映像データＭＶに基づいて、ディスプレイに、ユーザが選択した番組の映像に、例えば、図６に示すＥＰＧ画面を重畳した映像を表示する。
【００６４】
図６は、図５に示すＥＰＧ画面が表示部６を構成するディスプレイに表示されている状態において、ユーザが「ＭＨＫ」という放送局の第１チャンネル「ＭＨＫ総合」の午前８時１５分から放送が開始される連続ドラマ「風はるかに」という番組にフォーカスを移動させたことを示している。図６では、矩形の枠内の下地に右下がりの斜線を描くことにより、フォーカスされていることを示している。
【００６５】
図６の例では、上記フォーカスの直下に、当該番組（連続ドラマ「風はるかに」）の詳細情報が上記ＥＰＧに重ねて表示されているとともに、当該番組（連続ドラマ「風はるかに」）の放送開始日時の前後に放送が開始される他の番組の詳細情報が、対応する番組欄の直下にそれぞれ表示されている。各詳細情報の矩形の枠内の下地にドットを描くとともに、右下隅にページの折り返しのように示しているのは、フォーカスされている番組及びこの番組の放送開始日時の前後に放送が開始される他の番組の詳細情報であることを示すためである。詳細情報であることをユーザに認識させるためには、上記のような表示に限らず、点滅表示、文字色又はフォント等の変更、下地の色又は輝度の変更、文字の白黒反転等、いずれの方法を用いても良い。また、詳細情報の表示手法自体も、上記手法に限られるものではなく、いわば漫画の台詞の「吹き出し」のようにＥＰＧ画面に重ねて、ＥＰＧ画面と同じサイズで又は拡大したサイズで表示しても良い。要するに、フォーカスされている番組の詳細情報及びこの番組の放送開始日時の前後に放送が開始される他の番組のそれぞれの詳細情報であることをユーザが認識できるように、それぞれに対応する番組欄に関連づけて表示すれば良い。
【００６６】
一方、ステップＳ１４の判断結果が「ＮＯ」の場合、即ち、カーソルボタンが操作されなかった場合には、制御部９は、図４に示すステップＳ１８へ進む。ステップＳ１８では、制御部９は、ＥＰＧ表示ボタンが操作されたか否か判断する。ステップＳ１８の判断手法は、上記ステップＳ１１における判断手法と同様である。ユーザが既述した操作方法でＥＰＧ表示ボタンを操作すると、ステップＳ１８の判断結果が「ＹＥＳ」となり、制御部９は、ステップＳ１９へ進む。
【００６７】
ステップＳ１９では、制御部９は、ステップＳ１３の処理で表示指示したＥＰＧ画面の表示停止を指示する制御信号をＥＰＧ生成部８及び映像合成部５にそれぞれ供給した後、一連の処理を終了する。これにより、ＥＰＧ生成部８は、制御部９から供給された制御信号に基づいて、ＥＰＧテーブルＥＰＧＴの生成及び映像合成部５への供給を停止する。従って、映像合成部５は、制御部９から供給された制御信号に基づいて、ＭＰＥＧデコーダ４から供給された映像データＶＤをそのまま合成映像データＭＶとして表示部６に供給する。これにより、表示部６は、映像合成部５から供給された合成映像データＭＶに基づいて、ディスプレイに、ユーザが選択した番組の映像を表示する。
【００６８】
一方、ステップＳ１８の判断結果が「ＮＯ」の場合、即ち、ＥＰＧ表示ボタンが操作されなかった場合には、制御部９は、ステップＳ２０へ進む。ステップＳ２０では、制御部９は、カーソルボタン及びＥＰＧ表示ボタン以外の他のボタンが操作されたか否か判断する。ステップＳ２０の判断手法は、上記ステップＳ１１における判断手法と略同様である。ユーザがカーソルボタン及びＥＰＧ表示ボタン以外の他のボタンを操作すると、ステップＳ２０の判断結果が「ＹＥＳ」となり、制御部９は、何もせず。図３に示すステップＳ１４へ戻る。なお、実際の映像表示装置では、カーソルボタン及びＥＰＧ表示ボタン以外の他のボタン、例えば、決定ボタンが操作された場合には、フォーカスされている番組の選局又は予約等の処理が実行される。しかし、それらの処理は、本実施の形態１には直接関係しないので、その説明を省略する。
【００６９】
一方、ステップＳ２０の判断結果が「ＮＯ」の場合、即ち、カーソルボタン、ＥＰＧ表示ボタン及び他のすべてのボタンのいずれも操作されなかった場合には、制御部９は、ステップＳ２１へ進む。ステップＳ２１では、制御部９は、ステップＳ１１の判断結果が「ＹＥＳ」の場合にスタートさせたタイマの計時時間が所定時間を経過しているか否か判断する。ステップＳ２１の判断結果が「ＮＯ」の場合には、制御部９は、何もせず、図３に示すステップＳ１４へ戻る。
【００７０】
一方、ステップＳ２１の判断結果が「ＹＥＳ」の場合、即ち、上記タイマの計時時間が所定時間を経過している場合には、制御部９は、ステップＳ１９へ進む。即ち、ユーザが一旦ＥＰＧ表示ボタンを操作してディスプレイにＥＰＧ画面を表示させたが、所定時間内に何らかの操作をしなかった場合には、制御部９は、ディスプレイからＥＰＧ画面を消去するのである。
【００７１】
このように、本発明の実施の形態１によれば、ＥＰＧが表示された状態において、フォーカスされている番組の詳細情報とともに、この番組の放送開始日時の前後に放送が開始される他の番組の詳細情報が上記ＥＰＧに重ねてそれぞれ表示される。従って、ユーザは、当該番組とほぼ同時に放送される他の番組の詳細情報を把握することができ、視認性が向上する。例えば、ユーザがいつも見ている番組を見ようとしてカーソルボタンを操作した場合であっても、ユーザが特に何らの操作をすることなく、当該番組の詳細情報だけでなく、他のチャンネルでほぼ同時に放送されている他の番組についても詳細情報を知ることができる。この結果、ユーザは、当初視聴しようとした番組ではなく、興味を持った他の番組を試聴することができる。
【００７２】
実施の形態２．
上述の実施の形態１では、ＥＰＧ表示ボタンが操作された場合、説明を簡単にするために、表示部６を構成するディスプレイには、ユーザがＥＰＧ表示ボタンを操作した日のＥＰＧが表示されることを前提としている。しかし、現在のデジタル放送では、ユーザがＥＰＧ表示ボタンを操作した日を含めた８日分のＥＰＧが作成可能な番組情報が提供されている。そのため、現在市販されているデジタル放送が受信可能なテレビジョン受信機、ＤＶＤレコーダ等の映像表示装置では、ユーザが日時を指定することにより所望の日時のＥＰＧを表示できるように構成されているものが多い。
【００７３】
そこで、上述の実施の形態１による構成及び機能を有する映像表示装置に対して、例えば、以下に示すような構成及び機能を付与しても良い。まず、リモコン１３及び本体操作部１１には、メニューボタンを設ける。このメニューボタンは、押下されるたびに、表示部６を構成するディスプレイにＯＳＤ表示形式での各種調整項目の調整、所望の日時又は時間帯のＥＰＧの表示指示のためなどに用いられるメニュー画面の表示と、非表示とが交互に指示されるボタンである。
【００７４】
そして、ユーザによる以下に示す操作に応じて映像表示装置が以下に示す処理を実行可能に構成する。
（１）ユーザは、例えば、リモコン１３を構成するＥＰＧ表示ボタンを押下する。これにより、表示部６を構成するディスプレイには、その日のＥＰＧが表示される。
（２）上記ディスプレイに上記ＥＰＧが表示されている状態において、ユーザは、例えば、リモコン１３を構成するメニューボタンを押下する。これにより、表示部６を構成するディスプレイには、例えば、図７に示すメニュー画面が上記ＥＰＧに重ねて表示される。
【００７５】
（３）上記ディスプレイに上記ＥＰＧ及び図７に示すメニュー画面が表示されている状態において、ユーザは、例えば、リモコン１３を構成するカーソルボタンを操作して図７に示すメニュー画面の「日時指定」にフォーカスを移動させた後、リモコン１３を構成する決定ボタンを押下する。これにより、表示部６を構成するディスプレイには、例えば、図８に示す日時指定画面が上記ＥＰＧに重ねて表示される。
【００７６】
図８の例では、日時指定画面は、表示を希望するＥＰＧの日を選択するための日選択行と、表示を希望するＥＰＧの時刻を選択するための時刻選択行とから構成されている。日選択行は、ユーザがＥＰＧ表示ボタンを操作した日（図８の例では、２０日）から７日後（図８の例では、２７日）までの日が選択可能であるため、それぞれの日に対応した数字（今の場合、「２０」から「２７」までの数字）が表示されている。一方、時刻選択行は、リモコン１３を構成する左カーソルボタン又は右カーソルボタンを操作して「時刻」という文字と「時」という文字との間の数字部分にフォーカスを移動させた後、リモコン１３を構成する上カーソルボタン又は下カーソルボタンを操作することにより、「１」から「２４」までの数字の中から所望の時に対応した数字の選択が可能に構成されている。同様に、「時」という文字と「分」という文字との間の数字部分にフォーカスを移動させた後、リモコン１３を構成する上カーソルボタン又は下カーソルボタンを操作することにより、「００」から「５９」までの数字の中から所望の分に対応した数字の選択が可能に構成されている。
【００７７】
（４）上記ディスプレイに上記ＥＰＧ及び図８に示す日時指定画面が表示されている状態において、ユーザは、例えば、リモコン１３を構成する上カーソルボタン又は下カーソルボタンを操作して図８に示す日時指定画面を構成する日選択行の「日」の文字上にフォーカスを移動させて所望の日の選択を可能とした後、リモコン１３を構成する左カーソルボタン又は右カーソルボタンを操作して表示を希望するＥＰＧの日に対応した数字にフォーカスを移動させてその日を指定する。
【００７８】
次に、ユーザは、例えば、リモコン１３を構成する上カーソルボタン又は下カーソルボタンを操作して図８に示す日時指定画面を構成する時刻選択行の「時刻」の文字上にフォーカスを移動させて所望の時刻の選択を可能とした後、リモコン１３を構成する左カーソルボタン又は右カーソルボタンを操作して「時刻」という文字と「時」という文字との間の数字部分にフォーカスを移動させた後、リモコン１３を構成する上カーソルボタン又は下カーソルボタンを操作して表示を希望するＥＰＧの時に対応した数字にフォーカスを移動させてその時を指定する。さらに、ユーザは、例えば、リモコン１３を構成する左カーソルボタン又は右カーソルボタンを操作して「時」という文字と「分」という文字との間の数字部分にフォーカスを移動させた後、リモコン１３を構成する上カーソルボタン又は下カーソルボタンを操作して表示を希望するＥＰＧの分に対応した数字にフォーカスを移動させてその分を指定する。
【００７９】
（５）これにより、表示部６を構成するディスプレイには、指定された日時のＥＰＧが表示されるとともに、指定された日時から開始される又は指定された日時に放送している各放送局の各番組欄の近傍に、例えば、「吹き出し」表示が出現し、各「吹き出し」表示の中に、対応する番組の詳細情報が表示される。具体的には、概略以下に示す処理が実行される。まず、上記ディスプレイの一画面には、４時間分のＥＰＧが表示可能とする。また、ユーザにより、例えば、１２月２４日の１９時００分が指定されたとする。そこで、制御部９は、１２月２４日の１９時００分から２３時００分までに放送される各放送局のすべての番組を検索して供給することを指示する制御信号を番組情報抽出部７に供給する。
【００８０】
番組情報抽出部７は、制御部９から供給された制御信号に基づいて、指定された放送日時（今の場合、１２月２４日の１９時００分から２３時００分まで）をキーワードとして、当該放送日時に放送される各放送局のすべての番組について番組情報記憶部を検索し、その検索結果を制御部９に供給する。次に、制御部９は、番組情報抽出部７から供給された検索結果に基づいてＥＰＧ及び指定された日時から開始される又は指定された日時に放送している各放送局の各番組の詳細情報を表示することを指示する制御信号を番組情報抽出部７、ＥＰＧ生成部８及び映像合成部５に供給する。これにより、制御部９から供給された制御信号に基づいて、番組情報抽出部７、ＥＰＧ生成部８及び映像合成部５は、ディスプレイに、ユーザが選択した番組の映像に、ユーザが指定した日時のＥＰＧ画面、内部に対応する番組の詳細情報が記載された「吹き出し表示」を重畳した映像を表示する。
【００８１】
（７）一方、上記ディスプレイに上記ＥＰＧ及び図７に示すメニュー画面が表示されている状態において、ユーザは、例えば、リモコン１３を構成するカーソルボタンを操作して、図９に示すように、上記メニュー画面の「日と時間帯指定」にフォーカスを移動させた後、リモコン１３を構成する決定ボタンを押下する。これにより、表示部６を構成するディスプレイには、例えば、図１０に示す日・時間帯指定画面が上記ＥＰＧに重ねて表示される。
【００８２】
図１０の例では、日・時間帯指定画面は、表示を希望するＥＰＧの日を選択するための日選択行と、表示を希望するＥＰＧの時刻を選択するための時刻選択行と、表示を希望するＥＰＧの時間帯を選択するための時間帯選択行とから構成されている。これらのうち、日選択行及び時刻選択行は、図８の場合と同様であるので、その説明を省略する。時間帯選択行は、ユーザが時刻選択行により指定した時刻（図１０の例では、１９時００分）からの一定の時間帯が選択可能であるため、それぞれの時間帯に対応した数字（今の場合、「１」から「４」までの数字）が表示されている。
【００８３】
（８）上記ディスプレイに上記ＥＰＧ及び図１０に示す日時指定画面が表示されている状態において、ユーザは、表示を希望するＥＰＧの日時及び時間帯を指定する。これらのうち、日と時刻の指定方法は上記（４）と同様であるので、その説明を省略する。次に、ユーザは、例えば、リモコン１３を構成する上カーソルボタン又は下カーソルボタンを操作して図１０に示す日・時間帯指定画面を構成する時間帯選択行の「時間」の文字上にフォーカスを移動させて所望の時間の選択を可能とした後、リモコン１３を構成する左カーソルボタン又は右カーソルボタンを操作して表示を希望する時間帯に対応した数字にフォーカスを移動させてその時間帯を指定する。なお、時間帯の指定は、開始時刻及び終了時刻を指定することにより、指定しても良い。
【００８４】
（９）これにより、表示部６を構成するディスプレイには、指定された日時及び時間帯のＥＰＧが表示されるとともに、指定された日時及び時間帯に少しでもオーバーラップして放送されている各放送局の各番組欄の近傍に、例えば、「吹き出し」表示が出現し、各「吹き出し」表示の中に、対応する番組の詳細情報が表示される。具体的には、概略以下に示す処理が実行される。ユーザにより、例えば、１２月２４日の１９時００分から２時間の時間帯が指定されたとする。そこで、制御部９は、１２月２４日の１９時００分から２１時００分までに放送される各放送局のすべての番組を検索して供給することを指示する制御信号を番組情報抽出部７に供給する。
【００８５】
番組情報抽出部７は、制御部９から供給された制御信号に基づいて、指定された放送日時（今の場合、１２月２４日の１９時００分から２１時００分まで）をキーワードとして、当該放送日時及び時間帯に放送される各放送局のすべての番組について番組情報記憶部を検索し、その検索結果を制御部９に供給する。次に、制御部９は、番組情報抽出部７から供給された検索結果に基づいてＥＰＧ及び指定された日時及び時間帯に少しでもオーバーラップして放送されている各放送局の各番組の詳細情報を表示することを指示する制御信号を番組情報抽出部７、ＥＰＧ生成部８及び映像合成部５に供給する。これにより、制御部９から供給された制御信号に基づいて、番組情報抽出部７、ＥＰＧ生成部８及び映像合成部５は、ディスプレイに、ユーザが選択した番組の映像に、ユーザが指定した日時及び時間帯のＥＰＧ画面、内部に対応する番組の詳細情報が記載された「吹き出し表示」を重畳した映像を表示する。なお、時間帯を指定した場合には、指定した時間帯に属するすべての番組の詳細情報が上記ＥＰＧに重ねて表示されると構成しても良い。このように、本発明の実施の形態２によれば、ユーザは、所望する日時又は日時及び時間帯に放送される他の番組の詳細情報を把握することができ、視認性が向上する。
【００８６】
実施の形態３．
上述の各実施の形態では、番組の選択や視聴予約については特に言及していない。しかし、本発明によれば、ある番組欄にフォーカスが移動すると、当該番組の詳細情報とともに、この番組の放送開始日時の前後に放送が開始される他の番組の詳細情報が上記ＥＰＧに重ねてそれぞれ表示される。従って、従来に比べて番組の選択や予約に関して操作性が向上する。つまり、ＥＰＧには、多数のチャンネルについてそれぞれ多数の番組が一度に表示されるが、情報量が多すぎてどの番組を選択又は視聴予約すればいいのか判断しにくい。
【００８７】
しかし、上述の各実施の形態による構成に加えて、例えば、図６に示す表示状態において、ユーザが視聴を希望する番組の詳細情報上にフォーカスを移動させてリモコン１３又は本体操作部１１のいずれかを構成する決定ボタンを操作することにより、当該詳細情報に対応した番組の選択又は視聴予約ができるように構成すれば、上記詳細情報の表示をきっかけとして容易にユーザが興味を抱いた番組の選択又は視聴予約をすることができ、操作性が向上する。ここで、「番組の選択」とは、既に放送が開始されている番組をその途中から視聴することを意味し、「番組の視聴予約」とは、未だ放送が開始されていない番組をその放送開始日時からの視聴を予約することを意味する。
【００８８】
実施の形態４．
上述の各実施の形態では、各番組の詳細情報を文字により表示する例を示したが、これに限定されない。例えば、サムネイル画像、当該番組のＣＭあるいは予告、既に放送した週のダイジェスト映像、既に当該番組が開始されている場合には既に放送された画面（スポーツ番組ならば現在の得点など）又は現在の画面を１０秒程度表示したり、テーマソングを再生したりするように構成しても良い。このように構成すれば、ユーザはより直感的に番組の内容を把握することができ、視認性が向上する。
【００８９】
実施の形態５．
上述の各実施の形態では、番組の録画予約については特に言及していない。しかし、上述の各実施の形態による構成に加えて、チューナ２を複数設けるとともに、録画機能を設け、リアルタイムで視聴する番組のいわゆる「裏番組」の録画予約が可能な構成としても良い。このような構成によれば、録画予約すべき「裏番組」の選択のために、例えば、図６に示すような他の番組の詳細情報を利用することができる。
【００９０】
実施の形態６．
上述の実施の形態１では、ＥＰＧが表示された状態において、フォーカスされている番組の詳細情報とともに、この番組の放送開始日時の前後に放送が開始される他の番組の詳細情報が上記ＥＰＧに重ねてそれぞれ表示する例を示したが、これに限定されない。例えば、フォーカスされている番組が属する時間帯（例えば、午後７時００分〜午後７時５９分、プライムタイム、ゴールデンタイム、ノンプライムタイム等）の他の番組の詳細情報が上記ＥＰＧに重ねてそれぞれ表示するように構成しても良い。
【００９１】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
例えば、上述の各実施の形態では、ＥＰＧ等の番組に関する付加情報をアンテナ入力で取得する例を説明したが、これに限定されない。ＥＰＧ等の番組に関する付加情報は、例えば、外部接続したＣＡＴＶ（ケーブルテレビ）用セットトップボックスを介して取得したり、ネットワーク接続されたＩＰ放送又はサーバー型放送を受信することにより取得するようにしても良い。
また例えば、上述の各実施の形態において説明した、ＥＰＧの表示手法、番組情報の番組情報記憶部への記憶手法、番組情報の検索手法等は、本発明の特徴ではないので、従来周知の様々な手法を採用することができる。
また、上述の各実施の形態は、その目的及び構成等に特に矛盾や問題がない限り、互いの技術を流用することができる。
例えば、ＥＰＧが表示された状態において、フォーカスされている番組が放送されている時間帯（例えば１９：００〜２１：００）と少なくとも一部が重なる時間帯に放送される各放送局の番組欄の近傍に、例えば、「吹き出し」表示が出現し、各「吹き出し」表示の中に、対応する番組の詳細情報が表示されるように構成しても良い。ここで、フォーカスされている番組が放送されている時間帯と少なくとも一部が重なる時間帯に放送されている各放送局の各番組は、例えば、図１１に示すＥＰＧにおいて、フォーカスされている番組が１０チャンネル（「テレビ毎朝」）で１０：００〜１１：４５の間で放送される「サタデー討論」という番組であるとすると、ハッチングを施した番組である。
【００９２】
上述の各実施の形態では、本発明を各番組の番組情報を含む各番組に関する付加情報が付加された放送信号を受信して電子番組表が表示可能なテレビジョン受信機等の映像表示装置に適用する例を示したが、これに限定されない。本発明は、受信した上記番組をモニタ又はテレビジョン受信機等の表示装置に表示する機能と、受信した上記番組を上記付加情報とともに記録媒体に記録する機能と、上記付加情報とともに上記番組が記録された記録媒体から上記番組を再生して上記表示装置に表示する機能とを有する、上記ＥＰＧを上記表示装置に表示可能なＤＶＤレコーダ等の映像記録再生装置にも適用することができる。
【図面の簡単な説明】
【００９３】
【図１】本発明の実施の形態１に係る映像表示装置の一部の構成を示すブロック図である。
【図２】映像表示装置の各部が実行する番組情報取得処理を示すフローチャートである。
【図３】制御部が実行するＥＰＧ表示処理を示すフローチャートである。
【図４】制御部が実行するＥＰＧ表示処理を示すフローチャートである。
【図５】ＥＰＧ画面の表示の一例を示す図である。
【図６】ＥＰＧ画面にある番組及びこの番組の放送開始日時の前後に放送が開始される他の番組の詳細情報が重ねて表示された一例を示す図である。
【図７】本発明の実施の形態２においてディスプレイに表示されるメニュー画面の一例を示す図である。
【図８】本発明の実施の形態２においてディスプレイに表示される日時指定画面の一例を示す図である。
【図９】本発明の実施の形態２においてディスプレイに表示されるメニュー画面の一例を示す図である。
【図１０】本発明の実施の形態２においてディスプレイに表示される日・時間帯指定画面の一例を示す図である。
【図１１】本発明の他の実施の形態を説明するためのＥＰＧ画面の一例を示す図である。
【符号の説明】
【００９４】
１  アンテナ
２  チューナ
３  デマルチプレクサ（ＤＥＭＵＸ）
４  ＭＰＥＧデコーダ
５  映像合成部
６  表示部
７  番組情報抽出部
８  ＥＰＧ生成部
９  制御部
１０  リモコン受信部
１１  本体操作部
１２  記憶部
１３  リモコン
【図１】
2008258943.tif 000003
【図２】
2008258943.tif 000004
【図３】
2008258943.tif 000005
【図４】
2008258943.tif 000006
【図５】
2008258943.tif 000007
【図６】
2008258943.tif 000008
【図７】
2008258943.tif 000009
【図８】
2008258943.tif 000010
【図９】
2008258943.tif 000011
【図１０】
2008258943.tif 000012
【図１１】
2008258943.tif 000013